(57)【要約】【課題】乾電池などの交換を必要とせずに癒し効果を十分に増強させることが可能な動物型置物を提供する。【解決手段】外観が動物の形状のカバー部材１０と、カバー部材内に収容されるとともに、揺動可能に設けられた揺動部材と、揺動部材１２の下端に設けられた永久磁石２０と、永久磁石と対向する位置に設けられ、電子回路２６を介してソーラーセル２８に接続された空芯コイル２４と、を備え、カバー部材の外観を形成する動物の一対の目の部分１０Ａ、１０Ｂが透明に形成され、揺動部材の上端には、一対の目の模様１８Ａ、１８Ｂが施されているとともに、その一対の目の模様の位置がカバー部材の透明に形成された一対の目の位置それぞれに整合しており、受光によるソーラーセルの起電力によって空芯コイルを導通させて磁場を生じさせ、永久磁石と反撥させることによって揺動部材を揺動させるよう構成されていることを特徴とする動物型置物である。【選択図】図２
0003126429.tif 000002
【実用新案登録請求の範囲】
【請求項１】
外観が動物の形状に形成されたカバー部材と、
該カバー部材内に収容されるとともに、上下方向に延び、所定の位置を軸として揺動可能に設けられた揺動部材と、
該揺動部材の下端に設けられた永久磁石と、
該永久磁石と対向する位置に設けられ、電子回路を介してソーラーセルに接続された空芯コイルと、を備え、
前記カバー部材の外観を形成する動物の一対の目の部分が透明に形成され、
前記揺動部材の上端には、一対の目の模様が施されているとともに、その一対の目の模様の位置が前記カバー部材の透明に形成された一対の目の位置それぞれに整合しており、
受光によるソーラーセルの起電力によって空芯コイルを導通させて磁場を生じさせ、前記永久磁石と反撥させることによって前記揺動部材を揺動させるよう構成されていることを特徴とする動物型置物。
【請求項２】
前記カバー部材は、透光性素材から構成され、前記ソーラーセルは、前記カバー部材内に設けられていることを特徴とする請求項１記載の動物型置物。
【考案の詳細な説明】
【技術分野】
【０００１】
本発明は、フクロウ、猫、犬など動物の形状からなる動物型置物に関する。
【背景技術】
【０００２】
従来から、猫やフクロウなど様々な動物のデザインが需要者を癒すことが可能であるため、置物のデザインとして用いられている。さらに、その癒し効果を増強させるために、手など動物の一部分が動く動物型置物が存在する。
【考案の開示】
【考案が解決しようとする課題】
【０００３】
このような手など動物の一部分が動く動物型置物は、通常内蔵された乾電池を電源として作動するため、定期的に電池を取り替えなければならないという問題がある。また、手が動くだけでは、特徴が少なく、癒し効果の増強としては不十分である。
【０００４】
そこで、本考案は、半永久的に乾電池などの交換を必要とせずに癒し効果を十分に増強させることが可能な動物型置物を提供することを目的とする。
【課題を解決するための手段】
【０００５】
以上の目的を達成するため、本考案は、外観が動物の形状に形成されたカバー部材と、該カバー部材内に収容されるとともに、上下方向に延び、所定の位置を軸として揺動可能に設けられた揺動部材と、該揺動部材の下端に設けられた永久磁石と、該永久磁石と対向する位置に設けられ、電子回路を介してソーラーセルに接続された空芯コイルと、を備え、前記カバー部材の外観を形成する動物の一対の目の部分が透明に形成され、前記揺動部材の上端には、一対の目の模様が施されているとともに、その一対の目の模様の位置が前記カバー部材の透明に形成された一対の目の位置それぞれに整合しており、受光によるソーラーセルの起電力によって空芯コイルを導通させて磁場を生じさせ、前記永久磁石と反撥させることによって前記揺動部材を揺動させるよう構成されていることを特徴とする動物型置物である。
【０００６】
以上のように、本考案に係る動物型置物によれば、ソーラーセルに光が当たると起電力が生じ、電子回路を介して空芯コイルが導通される。空芯コイルが導通されると、それに対向して設けられた永久磁石が反撥して揺動部材を揺動させ、動物型置物の目の模様が左右に動き、見ている者に対してより癒し効果を与えることができる。また、ソーラーセルの起電力によって、目の模様が左右に動くように構成されているので、従来のように乾電池の交換が必要ない。
【０００７】
本考案に係る動物型置物において、前記カバー部材は、透光性素材から構成され、前記ソーラーセルは、前記カバー部材内に設けられていることが好ましい。
【考案の効果】
【０００８】
以上のように、本考案に係る動物型置物によれば、半永久的に乾電池などの交換を必要とせずに癒し効果を十分に増強させることが可能な動物型置物を提供することができる。
【考案を実施するための最良の形態】
【０００９】
次に、本考案に係る動物型置物の実施例について図面に基づいて説明する。図１は、本実施例に係る動物型置物の正面図であり、図２は、その正面断面図であり、図３は、本実施例に係る動物型置物のカバー部材を取り外した状態の正面断面図であり、図４は、図３のＩＶ−ＩＶ線に沿った断面図である。本実施例に係る動物型置物は、土台８と、土台８上に載置され、フクロウの形状に形成されたカバー部材１０と、カバー部材１０内に収容されるとともに、上下方向に延びる揺動部材１２と、揺動部材１２の所定の軸１４を中心に揺動可能に支持する支持部材１６と、を備えている。
【００１０】
カバー部材１０は、半透明素材で構成されているが、外観を形成するフクロウの目の部分１０Ａ、１０Ｂだけ、透明に加工されている。
【００１１】
揺動部材１２は、Ｙ字状に形成された板状の上部１２Ａと、そのＹ字状の板部１２Ａの下端に連接され、棒状に形成された下部１２Ｂと、を備えており、これら上部１２Ａと下部１２Ｂは、合成樹脂から形成されている。上部１２ＡのＹ字の両上端それぞれには、一対の目の模様１８Ａ、１８Ｂが施されており、その目の模様１８Ａ、１８Ｂは、カバー部材の透明の目の部分１０Ａ、１０Ｂの位置それぞれに整合するように形成されている。下部１２Ｂの上端は、上部１２Ａの下端を挟持可能なクリップ状に形成されており、そのクリップ状の部分よりも若干下側には、軸１４が前後に突出して形成されている。また、下部１２Ｂの下端には、永久磁石２０が設けられている。
【００１２】
支持部材１６は、揺動部材１２の下部１２Ｂを収容し、五角形状に形成されたケース部２２と、ケース部２２の永久磁石２０と対向する位置に設けられた空芯コイル２４と、ケース部２２内に設けられ、空芯コイル２４に接続された電子回路基板２６と、ケース部２２の外部に貼り付けられ、電子回路基板２６に接続された板状のソーラーセル２８と、を備えている。
【００１３】
ケース部２２の上端には、開口部２２Ａが形成されており、その開口部２２Ａから揺動部材１２の下部１２Ｂが挿入することができる。また、開口部２２の前後には、揺動部材１２の軸１４を受ける軸受け２２Ｂ、２２Ｃが形成されており、この軸受け２２Ｂ、２２Ｃによって軸１４を支持することによって、揺動部材１２を揺動可能に支持することが支持することができる。  空芯コイル２４は、円盤状に形成されており、図５に示すように電子回路基板２６に接続されている。
【００１４】
以上のように、本実施例に係る動物型置物によれば、ソーラーセル２８に光が当たると起電力が生じ、電子回路基板２６を介して空芯コイル２４が導通される。空芯コイル２４が導通されると、それに対向して設けられた永久磁石２０が反撥して揺動部材１２を揺動させ、動物型置物の目の模様１８Ａ、１８Ｂが左右に動き、見ている者に対してより癒し効果を与える。
【図面の簡単な説明】
【００１５】
【図１】本考案に係る動物型置物の実施例の正面図である。
【図２】本実施例に係る動物型置物の正面断面図である。
【図３】本実施例に係る動物型置物のカバー部材を取り外した状態の正面断面図である。
【図４】図３のＩＶ−ＩＶ線に沿った断面図である。
【図５】本実施例に係る動物型置物の電子回路基板の概念図である。
【符号の説明】
【００１６】
１０                 カバー部材
１０Ａ、１０Ｂ       一対の目の部分
１２                 揺動部材
１８Ａ、１８Ｂ       一対の目の模様
２０                 永久磁石
２４                 空芯コイル
２６                 電子回路
【図１】
0003126429.tif 000003
【図２】
0003126429.tif 000004
【図３】
0003126429.tif 000005
【図４】
0003126429.tif 000006
【図５】
0003126429.tif 000007